(57)【要約】【課題】繊細で軽く柔軟性に富み、装着感を殆ど感じさせず、薄毛対策として誰でも手軽に利用することができるかつらを提供する。【解決手段】薄毛用のかつら１であって、かつら１の外周縁の全部又は一部を構成するアウトラインベルト４０と、アウトラインベルト４０の内側からアウトラインベルト４０に向かって放射状に設けられ、自毛を引き出すための間隔を形成する複数本のアウトラインフィラメント５０と、を含み、アウトラインフィラメント５０は、直径１ｍｍ未満の熱可塑性樹脂製の細線からなり、放射状に設けられた状態において、頭部の形状に対応する第１湾曲（５０ａ）と、自毛の毛流に対応する第２湾曲（５０ｂ）とを呈し、外力を受けたときに変形する柔軟性と、外力を受けていないときに第１及び第２湾曲（５０ａ、５０ｂ）を復元させる形状弾性とを備える。【選択図】図１
2019044295.tif 000002
【特許請求の範囲】
【請求項１】
薄毛用のかつらであって、
前記かつらの外周縁の全部又は一部を構成するアウトラインベルトと、
前記アウトラインベルトの内側から前記アウトラインベルトに向かって放射状に設けられ、前記自毛を引き出すための間隔を形成する複数本のアウトラインフィラメントと、を含み、
前記アウトラインフィラメントは、直径１ｍｍ未満の熱可塑性樹脂製の細線からなり、放射状に設けられた状態において、前記頭部の形状に対応する第１湾曲と、前記自毛の毛流に対応する第２湾曲とを呈し、外力を受けたときに変形する柔軟性と、外力を受けていないときに前記第１及び第２湾曲を復元させる形状弾性とを備えるかつら。
【請求項２】
隣り合う前記アウトラインフィラメントの両端部のうち、前記アウトラインベルトに固定される一端部どうしが、これらのアウトラインフィラメントと交差する方向に延びる前記細線の部分によって連続する請求項１に記載のかつら。
【請求項３】
前記アウトラインフィラメントが、エンジニアリングプラスチック製又はスーパーエンジニアリングプラスチック製の前記細線からなる請求項１又は２に記載のかつら。
【請求項４】
前記アウトラインフィラメントが、ポリエーテルエーテルケトン、熱可塑性ポリイミド又はポリアミドイミドのいずれかのスーパーエンジニアリングプラスチック製の前記細線からなる請求項３に記載のかつら。
【請求項５】
前記アウトラインフィラメントが、直径０．２９ｍｍ〜０．５０ｍｍのポリエーテルエーテルケトン製の前記細線からなる請求項４に記載のかつら。
【請求項６】
前記アウトラインフィラメントが、直径０．３ｍｍのポリエーテルエーテルケトン製の前記細線からなる請求項４に記載のかつら。
【請求項７】
前記アウトラインフィラメントに、増毛用の毛髪が結着される請求項１〜６のいずれか１項に記載のかつら。
【請求項８】
前記アウトラインフィラメントの全部又は一部が、これらのアウトラインフィラメントと交差する方向に延びる、直径１ｍｍ未満の熱可塑性樹脂製の細線からなる補強フィラメントに結合される請求項１〜７のいずれか１項に記載のかつら。
【請求項９】
前記頭部の所定部分を覆う面積を有し、増毛用の毛髪が植設される少なくとも一つのベースを備える請求項１〜８のいずれか１項に記載のかつら。
【請求項１０】
隣り合う前記アウトラインフィラメントの両端部のうち、前記ベースに固定される他端部どうしが、これらのアウトラインフィラメントと交差する方向に延びる前記細線の部分によって連続する請求項９に記載のかつら。
【請求項１１】
前記ベースが、少なくとも旋毛を覆う面積を有する旋毛ベースであり、前記アウトラインフィラメントが、前記旋毛ベースから前記アウトラインベルトに向かって放射状に架設された請求項９又は１０に記載のかつら。
【請求項１２】
前記旋毛ベースの形状が、後方から前方にかけて面積が狭くなる略滴形である請求項１１に記載のかつら。
【請求項１３】
前記ベースが、少なくとも分け目を覆う面積を有する分け目ベースであり、前記アウトラインフィラメントが、前記分け目ベースから前記アウトラインベルトに向かって放射状に架設される請求項９又は１０に記載のかつら。
【請求項１４】
前記ベースが、少なくとも前頭部の生え際を覆う面積を有する生え際ベースであり、放射状に設けられた前記アウトラインフィラメントの一端部が、前記生え際ベースに固定される請求項９に記載のかつら。
【発明の詳細な説明】
【技術分野】
【０００１】
本発明は、薄毛用のかつらに関し、特に、繊細で軽く柔軟性に富み、装着感を殆ど感じないかつらに関する。
【背景技術】
【０００２】
男女を問わず、薄毛の一般的な対策として増毛とかつらが知られている。増毛は、頭部に生えている自毛に、人工毛や人毛（以下「毛髪」という）を結着する施術である。例えば、特許文献１に開示されているように、一本の自毛の根元に毛髪をＶ字形に結着して、毛量を三本に増やす。一方、薄毛用のかつらは、かつらの毛髪と頭部の自毛とを混ぜ合せることが可能な構成となっている。例えば、特許文献２に開示されているように、頭部を覆うネット状のベースのうち、薄毛に対応する部分に毛髪を植設し、これ以外の部分をカッターで切除して自毛の引き出しを可能とする。
【先行技術文献】
【特許文献】
【０００３】
【特許文献１】特開２００６−６３４５７号公報
【特許文献２】特開平５−２９５６０５号公報
【特許文献３】特開２００２−１１５１１５号公報
【発明の概要】
【発明が解決しようとする課題】
【０００４】
生え際、分け目、旋毛などの部分的な薄毛には、かつらよりも増毛が好適である。増毛は、薄毛が気になる部分の毛量をピンポイントで増すことができ、外観も自然であり、かつらのような装着感が全くない。しかし、毛髪を結着した自毛が伸びると、毛髪の結び目が上へと移動し、不自然な状態になる。このため、増毛には、専門家による月々のメンテナンスが必要であり、維持費が掛かる。このような経済的な理由から、増毛は、有効な薄毛対策でありながら、積極的に利用されていない。
【０００５】
一方、薄毛用のかつらは、頭部を覆って自毛を引き出す構成であるため、頭皮や自毛から伝わる装着感が煩わしい。特に、薄毛の程度が軽い人は、装着感の煩わしさを我慢してまで、かつらを利用しようとは思わない。例えば、特許文献２のかつらは、第１及び第２形態保持体を放射状に設けて、ベースが容易に変形しないようにしている。自毛は、第１及び第２形態保持体の間から引き出される。容易に変形しない第１及び第２形態保持体は、頭皮及び自毛に接触圧を生じさせ、頭部に装着感を与える。
【０００６】
ここで、特許文献３には、複数本のリブを、かつらのアウトラインを形成しないように屈曲して骨格様のフレームワークを形成し、この骨格様のフレームワークに多数の擬毛を取り付けて周縁枠を有しない植毛フレームを構成し、この植毛フレームの間から引き出した装着者の自毛と、リブに取り付けた擬毛とを混ぜ合わせて装着するかつらが開示されている。
【０００７】
特許文献３のかつらは、複数本のリブのいずれもが、かつらのアウトラインを形成しないので、頭皮への圧迫は軽減されるものと考えられる。しかし、各リブは、弾性を備えた剛性材料から成る芯材と、この芯材を覆う熱収縮性のチューブとで形成されており、その重量、接触面積及び硬さが、かつらの物理的存在を頭部に感じさせる。また、弾性と剛性とを兼ね備えた各リブは、その間から引き出された自毛に接触圧を生じさせる。
【０００８】
本発明は、繊細で軽く柔軟性に富み、装着感を殆ど感じさせず、薄毛対策として誰でも手軽に利用することができるかつらを提供することを目的とする。
【課題を解決するための手段】
【０００９】
（１）上記目的を達成するために、本発明のかつらは、薄毛用のかつらであって、前記かつらの外周縁の全部又は一部を構成するアウトラインベルトと、前記アウトラインベルトの内側から前記アウトラインベルトに向かって放射状に設けられ、前記自毛を引き出すための間隔を形成する複数本のアウトラインフィラメントと、を含み、前記アウトラインフィラメントは、直径１ｍｍ未満の熱可塑性樹脂製の細線からなり、放射状に設けられた状態において、前記頭部の形状に対応する第１湾曲と、前記自毛の毛流に対応する第２湾曲とを呈し、外力を受けたときに変形する柔軟性と、外力を受けていないときに前記第１及び第２湾曲を復元させる形状弾性とを備える。
【００１０】
（２）好ましくは、上記（１）のかつらにおいて、隣り合う前記アウトラインフィラメントの両端部のうち、前記アウトラインベルトに固定される一端部どうしが、これらのアウトラインフィラメントと交差する方向に延びる前記細線の部分によって連続する。
【００１１】
（３）好ましくは、上記（１）又は（２）のかつらにおいて、前記アウトラインフィラメントが、エンジニアリングプラスチック製又はスーパーエンジニアリングプラスチック製の前記細線からなる。
【００１２】
（４）好ましくは、上記（３）のかつらにおいて、前記アウトラインフィラメントが、ポリエーテルエーテルケトン、熱可塑性ポリイミド又はポリアミドイミドのいずれかのスーパーエンジニアリングプラスチック製の前記細線からなる。
【００１３】
（５）好ましくは、上記（４）のかつらにおいて、前記アウトラインフィラメントが、直径０．２９ｍｍ〜０．５０ｍｍのポリエーテルエーテルケトン製の前記細線からなる。
【００１４】
（６）好ましくは、上記（４）のかつらにおいて、前記アウトラインフィラメントが、直径０．３ｍｍのポリエーテルエーテルケトン製の前記細線からなる。
【００１５】
（７）好ましくは、上記（１）〜（６）のいずれかのかつらにおいて、前記アウトラインフィラメントに、増毛用の毛髪が結着される。
【００１６】
（８）好ましくは、上記（１）〜（７）のいずれかのかつらにおいて、前記アウトラインフィラメントの全部又は一部が、これらのアウトラインフィラメントと交差する方向に延びる、直径１ｍｍ未満の熱可塑性樹脂製の細線からなる補強フィラメントに結合される。
【００１７】
（９）好ましくは、上記（１）〜（８）のいずれかのかつらにおいて、前記頭部の所定部分を覆う面積を有し、増毛用の毛髪が植設される少なくとも一つのベースを備える。
【００１８】
（１０）好ましくは、上記（９）のかつらにおいて、隣り合う前記アウトラインフィラメントの両端部のうち、前記ベースに固定される他端部どうしが、これらのアウトラインフィラメントと交差する方向に延びる前記細線の部分によって連続する。
【００１９】
（１１）好ましくは、上記（９）又は（１０）のかつらにおいて、前記ベースが、少なくとも旋毛を覆う面積を有する旋毛ベースであり、前記アウトラインフィラメントが、前記旋毛ベースから前記アウトラインベルトに向かって放射状に架設される。
【００２０】
（１２）好ましくは、上記（１１）のかつらにおいて、前記旋毛ベースの形状が、後方から前方にかけて面積が狭くなる略滴形である。
【００２１】
（１３）好ましくは、上記（９）又は（１０）のかつらにおいて、前記ベースが、少なくとも分け目を覆う面積を有する分け目ベースであり、前記アウトラインフィラメントが、前記分け目ベースから前記アウトラインベルトに向かって放射状に架設される。
【００２２】
（１４）好ましくは、上記（９）のかつらにおいて、前記ベースが、少なくとも前頭部の生え際を覆う面積を有する生え際ベースであり、放射状に設けられた前記アウトラインフィラメントの一端部が、前記生え際ベースに固定される。
【発明の効果】
【００２３】
本発明のかつらによれば、繊細で軽く柔軟性に富み、装着感を殆ど感じさせず、薄毛対策として誰でも手軽に利用することができる。
【００２４】
すなわち、本発明のかつらの外郭は、複数のアウトラインフィラメントと、アウトラインベルトとによって構成される。このうち、アウトラインフィラメントは、直径１ｍｍ未満の熱可塑性樹脂製の細線であり、繊細で軽く、重量、接触面積及び硬さといった物理的存在を頭部に感じさせない。また、アウトラインフィラメントは、頭部の形状及び自毛の毛流に対応する立体的な湾曲を呈しており、頭部の形状及び自毛の毛流に馴染みやすい。さらに、アウトラインフィラメントは、外力を受けて容易に変形する柔軟性を備え、頭皮や自毛に接触圧を生じさせないだけでなく、自らが頭部の形状や自毛の毛流に沿って変形する。以上のようなアウトラインフィラメントの作用によって、装着感を殆ど感じさせない、施術としての増毛により近いかつらが実現する。
【図面の簡単な説明】
【００２５】
【図１】第１実施形態に係るかつらを示す平面図及び背面図である。
【図２】上記かつらの各構成要素を示す平面図である。
【図３】上記かつらを構成するアウトラインフィラメントを示す斜視図である。
【図４】大、中、小の３種類の上記かつらを示す平面図である。
【図５】拡張ベースを追加した３種類の上記かつらを示す平面図である。
【図６】第２実施形態に係る３種類のかつらを示す平面図である。
【図７】第３実施形態に係るかつらを示す平面図及び背面図である。
【図８】第４実施形態に係る４種類のかつらを示す平面図である。
【図９】第５実施形態に係る４種類のかつらを示す平面図である。
【発明を実施するための形態】
【００２６】
＜第１実施形態＞
まず、本発明の第１実施形態に係るかつらについて、図１〜図５を参照して説明する。
【００２７】
＜＜全体構成＞＞
図１（ａ）、（ｂ）及び図２において、第１実施形態のかつら１は、主として、旋毛ベース１０、生え際ベース２０、アウトラインベルト４０、アウトラインフィラメント５０及び補強フィラメント６０で構成される。旋毛ベース１０は、頭部の旋毛に対応する。生え際ベース２０は、頭部の生え際に対応する。
【００２８】
旋毛ベース１０、生え際ベース２０及びアウトラインベルト４０は、いずれも薄いネットからなる。ネットの素材としては、成形性及び耐熱性等に優れたナイロン、ポリエステル、アクリルなどの合成樹脂が好ましい。但し、綿、麻、絹等の天然繊維からなるネットを用いてもよい。一方、アウトラインフィラメント５０及び補強フィラメント６０は、直径１ｍｍ未満の熱可塑性樹脂製の細線からなる。細線の詳細は、後述する。
【００２９】
旋毛ベース１０、生え際ベース２０、アウトラインベルト４０を構成するネット、及びアウトラインフィラメント５０、補強フィラメント６０を構成する細線には、いずれも人工毛又は人毛である毛髪が結着されるが、説明の便宜上、毛髪の図示を省略する。これらのネット及び細線の色は、これに植設される毛髪の色と近似した黒色、茶色又は白色などにするとよい。これにより、ネット及び細線に結着された毛髪の結び目が目立たなくなる効果がある。
【００３０】
生え際ベース２０の後述する折り返し部分２１及びアウトラインベルト４０は、かつら１の外周縁を構成し、この外周縁よりも内側に、旋毛ベース１０、アウトラインフィラメント５０及び補強フィラメント６０が配置される。旋毛ベース１０は、アウトラインフィラメント５０によって支持され、頭部の旋毛に対応する位置に配置される。
【００３１】
アウトラインフィラメント５０は、旋毛ベース１０を中心にして、生え際ベース２０及びアウトラインベルト４０に向かって放射状に設けられる。隣り合う二本のアウトラインフィラメント５０は、頭部に生えた自毛を引き出すための間隔を形成する。全てのアウトラインフィラメント５０のうち、比較的に全長の長いものどうしは、補強フィラメント６０に結合される。補強フィラメント６０によって、全長の長いアウトラインフィラメント５０が撓みにくくなり、互いの間隔が保持されて、自毛が引き出しやすくなる。図１（ａ）、（ｂ）に示す補強フィラメント６０の結合部６１は、結び目であってもよいし、熱溶着であってもよい。
【００３２】
＜＜旋毛ベース＞＞
旋毛ベース１０は、薄くなった旋毛を覆い隠すものである。本実施形態では、旋毛ベース１０の形状が、かつら１の後方から前方にかけて面積が狭くなる略滴形となっている。旋毛ベース１０を構成するネットには、旋毛の自毛の毛流を再現するよう、例えば、右巻き、左巻き又は放射状に毛髪が植設される。仮に、旋毛ベースを円形としたならば、これに植設された毛髪は、均等に放射状に広がる。これに対し、本実施形態の旋毛ベース１０のように、かつら１の後方から前方にかけて面積が狭くなる略滴形とすることにより、これに植設した毛髪が前方及び左右方向を向きやすくなり、旋毛の自然な毛流を再現することが可能となる。
【００３３】
旋毛ベース１０を構成するネットの周縁部は、折返し部分１１になっている。この折返し部分１１には、全てのアウトラインフィラメント５０の一端部が固定される。旋毛ベース１０に植設された毛髪の毛流は、アウトラインフィラメント５０の後述する第２湾曲５０ｂ（図３を参照）に連続し、放射状に広がってかつら１全体に及ぶ。つまり、旋毛ベース１０の毛髪の毛流は、かつら１全体の毛流の起点となる。
【００３４】
なお、図１、図４、図５に示す本実施形態のかつら１は、旋毛ベース１０をかつら１の中心からシフトした位置に設けているが、旋毛ベース１０は、かつら１の中心に設けてもよい。要するに、旋毛ベース１０は、実際の頭部の旋毛に対応する位置に配置される。
【００３５】
＜＜生え際ベース＞＞
生え際ベース２０は、薄くなった生え際を覆い隠すものである。生え際ベース２０を構成するネットの周縁部は、折返し部分２１になっている。この折返し部分２１には、前方に配置されたアウトラインフィラメント５０の他端部が固定される。本実施形態では、生え際ベース２０の前端縁に沿って、波形ネット２２が前方に突出するように設けられている。波形ネット２２は、これに植設された毛髪と、生え際の自毛との混ざり合いを良好にし、かつら１と生え際の自毛との境界を目立たなくする。
【００３６】
＜＜アウトラインベルト＞＞
アウトラインベルト４０は、幅の狭い帯状のネットを長手方向に沿って二つ折りにした構成となっている（図３を参照）。本実施形態では、幅４ｍｍの帯状のネットを二つ折りにして、幅２ｍｍのアウトラインベルト４０を構成した。アウトラインベルト４０の二つ折りにしたネットの間には、左右及び後方に配置されたアウトラインフィラメント５０の他端部が固定される。
【００３７】
＜＜アウトラインフィラメント−素材＞＞
アウトラインフィラメント５０の素材は、引張強度（ｋｇｆ／ｃｍ２）及び曲げ強度（ｋｇｆ／ｃｍ２）に優れ、耐熱温度（℃）が比較的に高いものであれば、特に限定されない。好ましくは、アウトラインフィラメント５０を、エンジニアリングプラスチック製又はスーパーエンジニアリングプラスチック製の細線によって構成し、細線の直径を可能な限り細くするとよい。アウトラインフィラメント５０は、例えば、ポリエーテルエーテルケトン（ＰＥＥＫ）、熱可塑性ポリイミド（ＴＰＩ）又はポリアミドイミド（ＰＡＩ）のいずれかのスーパーエンジニアリングプラスチック製の細線で構成するとよい。下記の表１に、アウトラインフィラメント５０を構成する細線の実施例を示す。
【００３８】
【表１】
2019044295.tif 000003
【００３９】
但し、引張試験をした細線は、ポリエーテルエーテルケトン（ＰＥＥＫ）の黒色モノフィラメントであり、標線間距離：２０ｍｍ、引張速度５００ｍｍ／分である。アウトラインフィラメント５０の素材をポリエーテルエーテルケトン（ＰＥＥＫ）とした場合は、直径０．２９ｍｍ〜０．５０ｍｍの範囲とすることができるが、特に、破断しにくい強さと繊細さとを兼ね備えた直径０．３０ｍｍが好ましい。なお、補強フィラメント６０は、アウトラインフィラメント５０と同一仕様の細線で構成してもよいし、異なる仕様の細線で構成してもよい。
【００４０】
＜＜アウトラインフィラメント−形状＞＞
図２に示すように、本実施形態では、略四角形状に連続する細線によって、所定の間隔をあけたアウトラインフィラメント５０のペアを構成している。アウトラインフィラメント５０のペアは、その一端部どうし及び他端部どうしが、これらのアウトラインフィラメント５０と交差する方向に延びる細線部分５１、５２によって連続する。図３に示すように、一端部の細線部分５１の幅は５ｍｍ〜３０ｍｍ程度であり、他端部の細線部分５２の幅は１０ｍｍ〜５０ｍｍ程度である。図１（ａ）及び図２に示すように、アウトラインフィラメント５０の複数のペアは、所定の間隔をあけて放射状に並べられた状態で、旋毛ベース１０と、生え際ベース２０又はアウトラインベルト４０との間に架設される。
【００４１】
図１（ａ）及び図３に示すように、アウトラインフィラメント５０のペアの一端部を繋ぐ細線部分５１は、全て旋毛ベース１０の折返し部分１１の中に包まれた状態で固定される。一方、アウトラインフィラメント５０のペアの他端部を繋ぐ細線部分５２は、生え際ベース２０の折返し部分２１、又はアウトラインベルト４０の二つ折りにしたネットの中に包まれた状態で固定される。
【００４２】
アウトラインフィラメント５０のペアを略四角形状に連続させたことにより、旋毛ベース１０、生え際ベース２０及びアウトラインベルト４０への安定的な固定が可能となり、アウトラインフィラメント５０によって繊細、軽量かつ丈夫な構造体（かつら１のアウトライン）を構成することができる。
【００４３】
＜＜アウトラインフィラメント−湾曲＞＞
アウトラインフィラメント５０は、旋毛ベース１０と、生え際ベース２０又はアウトラインベルト４０との間に架設された状態において、図１（ａ）の水平（前後左右）方向と、図１（ｂ）の垂直（上下）方向とに立体的に湾曲している。この立体的な湾曲を図３に示す。図３中の一点鎖線で示すように、アウトラインフィラメント５０は、頭部の形状に対応する第１湾曲５０ａを呈する。また、図３中の二点鎖線で示すように、アウトラインフィラメント５０は、自毛の毛流に対応する第２湾曲５０ｂを呈する。
【００４４】
上述したように、アウトラインフィラメント５０の第２湾曲５０ｂは、旋毛ベース１０に植設された毛髪の毛流に連続し、放射状に広がってかつら１全体に及ぶ。したがって、アウトラインフィラメント５０に毛髪を植設することにより、旋毛を起点とした自毛の毛流を再現したかつら１が実現する。これにより、本実施形態のかつら１は、旋毛を起点とした自毛の毛流に沿って毛髪を増毛することができ、かつら１を装着したときの外観が、極めて自然に見えるようになる。
【００４５】
第１湾曲５０ａの形成方法として、例えば、頭部形状の型の表面にアウトラインフィラメント５０を沿わせて加熱する。これにより、アウトラインフィラメント５０に、頭部の形状に対応する湾曲が転写される。
【００４６】
一方、第２湾曲５０ｂの形成方法として、例えば、頭部に被せた透明のフィルム又はシートに自毛の毛流の方向を書き写し、書き写した方向に沿うように、アウトラインフィラメント５０を湾曲させて、旋毛ベース１０と、生え際ベース２０又はアウトラインベルト４０との間に架設する。このように、第２湾曲５０ｂは、アウトラインフィラメント５０の一端部と他端部との取付位置を調整することによって形成することができるが、アウトラインフィラメント５０自体を加熱変形させて、第２湾曲５０ｂを形成してもよい。
【００４７】
ここで、アウトラインフィラメント５０は、外力を受けたときに容易に変形する柔軟性と、外力を受けていないときに第１及び第２湾曲５０ａ、５０ｂを復元させる形状弾性とを備える。アウトラインフィラメント５０の形状弾性は、かつら１のアウトライン（外郭）を保持し、頭部の旋毛に対応する位置に旋毛ベース１０を正確に配置させる。また、かつら１のアウトラインが保持されることで、アウトラインフィラメント５０の間隔から自毛を引き出す作業が容易となり、かつら１の正確な装着が可能となる。一方、アウトラインフィラメント５０は、その柔軟性により、自らが頭部の形状や自毛の毛流に沿って変形する。この結果、アウトラインフィラメント５０は、何ら接触圧を生じさせることなく、頭部の形状や自毛の毛流に完全にフィットする。
【００４８】
＜＜かつらのサイズ＞＞
本実施形態のかつら１は、薄毛の範囲に応じたサイズにすることが可能である。図４（ａ）、（ｂ）、（ｃ）は大、中、小の３種類のかつら１を示す。かつら１の外周縁の形状は、円形、楕円形、その他の任意形状であってもよい。かつら１の縦×横の幅寸法は、特に限定されるものではないが、男女の一般的な頭部の大きさを考慮すると、例えば、最大で縦２０ｃｍ×横２０ｃｍ程度とすることができ、最小で縦１０ｃｍ×横１０ｃｍ程度とすることができる。かつら１のサイズは、アウトラインフィラメント５０の全長によって調整することができ、サイズが大きくなる程、補強フィラメント６０の数を増やすことが好ましい。サイズが小さいかつら１には、補強フィラメント６０を設けなくてもよい。
【００４９】
一実施例として、図４（ａ）に示す構成の大サイズのかつら１を、縦１８ｃｍ×横１６ｃｍの幅寸法で作製した。アウトラインフィラメント５０及び補強フィラメント６０の素材には、上記の表１中の「Ｎｏ．１」に示す直径０．３ｍｍのポリエーテルエーテルケトン（ＰＥＥＫ）製の黒色モノフィラメントを用いた。その結果、毛髪を植設する前のかつら１（図４（ａ）に示す構成）の重量は、僅か２ｇ（１円玉二枚分の重量）であった。
【００５０】
図４（ａ）に示す構成の大サイズ（縦１８ｃｍ×横１６ｃｍ）のかつら１であれば、約９０００本の毛髪を植設することが可能であった。図４（ｂ）に示す構成の中サイズ（縦１４ｃｍ×横１２ｃｍ）のかつら１であれば、約４５００本の毛髪を植設することが可能であった。図４（ｃ）に示す構成の中サイズ（縦１０ｃｍ×横８ｃｍ）のかつら１であれば、約２３００本の毛髪を植設することが可能であった。ここで、アウトラインフィラメント５０及び補強フィラメント６０には、毛髪を隙間なく植設することが好ましい。植設した毛髪が、アウトラインフィラメント５０及び補強フィラメント６０に沿って動かなくなり、毛髪の挙動が安定するからである。
【００５１】
＜＜拡張ベース＞＞
薄毛の程度や範囲に応じて、図５（ａ）、（ｂ）、（ｃ）に示すような拡張ベース７０Ａ、７０Ｂをかつら１の構成に追加してもよい。これらの拡張ベース７０Ａ、７０Ｂは、旋毛ベース１０、生え際ベース２０及びアウトラインベルト４０と同様のネットの素材によって構成される。
【００５２】
図５（ａ）に示す拡張ベース７０Ａは、頭部の分け目に対応する。拡張ベース７０Ａの外形及び面積は、旋毛ベース１０の前方から生え際ベース２０に向かって架設された四本のアウトラインフィラメント５０の範囲に相当する。このような拡張ベース７０Ａは、例えば、かつら１の表側に配置され、その外周縁のみが他の構成要素１０、２０、５０に縫着される。なお、拡張ベース７０Ａは、かつら１の表側に限らず、裏側に配置してもよいし、表裏の両方に二枚重ねにしてもよい。
【００５３】
拡張ベース７０Ａを構成するネットには、図示しない毛髪が植設される。毛髪は、拡張ベース７０Ａと重複する四本のアウトラインフィラメント５０のそれぞれの第２湾曲５０ｂ（図３を参照）の方向に沿うように植設される。旋毛ベース１０、拡張ベース７０Ａ及び生え際ベース２０に植設された毛髪により、旋毛を起点として、分け目から生え際に至る自毛の毛流が再現される。
【００５４】
図５（ｂ）に示す拡張ベース７０Ｂは、旋毛ベース１０の外周から後頭部に至る範囲に対応する。拡張ベース７０Ｂの外形及び面積は、旋毛ベース１０の外周を囲む略円形の補強フィラメント６０の範囲と、旋毛ベース１０の後方からアウトラインベルト４０に向かって架設された四本のアウトラインフィラメント５０の範囲とに相当する。このような拡張ベース７０Ｂは、例えば、かつら１の表側に配置され、その外周縁のみが他の構成要素１０、４０、５０、６０に縫着される。なお、拡張ベース７０Ｂは、かつら１の表側に限らず、裏側に配置してもよいし、表裏の両方に二枚重ねにしてもよい。
【００５５】
拡張ベース７０Ｂを構成するネットには、図示しない毛髪が植設される。毛髪は、拡張ベース７０Ｂと重複する全てのアウトラインフィラメント５０のそれぞれの第２湾曲５０ｂ（図３を参照）の方向に沿うように植設される。旋毛ベース１０及び拡張ベース７０Ｂに植設された毛髪により、旋毛を起点として、旋毛周りから後頭部に至る自毛の毛流が再現される。
【００５６】
図５（ｃ）に示すように、薄毛の範囲が、生え際、分け目、旋毛周りから後頭部に及ぶ場合は、かつら１に拡張ベース７０Ａ、７０Ｂの両方を設けてもよい。
【００５７】
＜第２実施形態＞
上述した第１実施形態のかつら１は、略滴形の旋毛ベース１０を設けた構成となっていたが、毛髪が植設されるベースは、略滴形の旋毛ベース１０に限定されるものではない。本発明の第２実施形態に係る３種類のかつらの構成を、図６（ａ）、（ｂ）、（ｃ）に示す。
【００５８】
図６（ａ）に示すかつら２は、かつら２の後頭部に対応する位置に旋毛ベース１１０を設けた構成となっている。旋毛ベース１１０の形状は、後方から前方にかけて面積が狭くなる略半楕円形となっている。旋毛ベース１１０を構成するネットには、旋毛の自毛の毛流を再現するように毛髪が植設される。第１実施形態と同様に、全てのアウトラインフィラメント５０は、旋毛ベース１１０から生え際ベース２０又はアウトラインベルト４０に向かって架設される。個々のアウトラインフィラメント５０の第２湾曲５０ｂ（図３を参照）は、後頭部から前方に向かって左右に分かれる自毛の毛流に対応している。
【００５９】
図６（ｂ）、（ｃ）に示すかつら２は、略長円形の分け目ベース３０を、かつら２の中心、又は中心からシフトした位置に設けた構成となっている。分け目ベース３０は、頭部の分け目に対応する。分け目ベース３０を構成するネットには、二方向に分けられた自毛の毛流を再現するように毛髪が植設される。第１実施形態と同様に、全てのアウトラインフィラメント５０は、分け目ベース３０から生え際ベース２０又はアウトラインベルト４０に向かって架設される。図６（ｂ）のアウトラインフィラメント５０の第２湾曲５０ｂ（図３を参照）は、頭部の中心から左右に分かれる自毛の毛流に対応している。一方、図６（ｃ）のアウトラインフィラメント５０の第２湾曲５０ｂ（図３を参照）は、頭部の左側から右側に分かれる自毛の毛流に対応している。
【００６０】
＜第３実施形態＞
上述した第１実施形態のかつら１は、生え際ベース２０の前端縁に沿って、波形ネット２２を設けた構成となっていたが、かつらと生え際の自毛との境界を目立たなくする手段は、波形ネット２２に限定されない。本発明の第３実施形態に係るかつらの構成を、図７（ａ）、（ｂ）に示す。
【００６１】
図７（ａ）、（ｂ）に示すかつら３は、人工又は天然の繊維からなる織布、例えば、ポリエステル製の織布で構成された生え際ベース１２０を備えている。生え際ベース１２０の表面には、前端の色の明度が最も高く、前端から後端へ色の明度が低くなるグラデーションプリント２３が施してある。グラデーションプリント２３は、例えば、白、灰、黒のグラデーションとすることができる。このようなグラデーションプリント２３によって、かつらと生え際の自毛との境界を暈すことが可能である。
【００６２】
なお、上述した第１実施形態の旋毛ベース１０、生え際ベース２０及び分け目ベース３０の素材は、ネットに限定されるものではない。例えば、本実施形態のかつら３の旋毛ベース２１０のように、頭皮を模した合成樹脂製の人工皮膚で構成してもよい。人工皮膚として、例えば、ポリウレタンやシリコーン等の合成樹脂からなる肌色のフィルム又はシートを用いることができる。
【００６３】
＜第４実施形態＞
上述した第１実施形態のかつら１は、生え際ベース２０を設けた構成となっていたが、生え際ベース２０は、本発明のかつらの必須の構成要素ではない。第４実施形態に係る４種類のかつらの構成を、図８（ａ）、（ｂ）、（ｃ）、（ｄ）に示す。第４実施形態のかつら４は、いずれも生え際ベース２０を設けない構成となっている。
【００６４】
図８（ａ）、（ｂ）に示すかつら４は、旋毛ベース１０又は１１０、アウトラインベルト４０及びアウトラインフィラメント５０で構成される。一方、図８（ｃ）、（ｄ）に示すかつら４は、分け目ベース３０、アウトラインベルト４０及びアウトラインフィラメント５０で構成される。アウトラインベルト４０は、かつら４の外周縁の全部を構成する。アウトラインフィラメント５０の一端部は、旋毛ベース１０、１１０又は分け目ベース３０に固定され、全ての他端部がアウトラインベルト４０に固定される。
【００６５】
＜第５実施形態＞
さらに、毛髪を植設するためのベースは、本発明のかつらの必須の構成要素ではない。第５実施形態に係る４種類のかつら５の構成を、図９（ａ）、（ｂ）、（ｃ）、（ｄ）に示す。第５実施形態のかつら５は、いかなるベースも設けない構成となっている。
【００６６】
図９（ａ）、（ｂ）、（ｃ）、（ｄ）に示すかつら５は、いずれもアウトラインベルト４０、アウトラインフィラメント５０、補強フィラメント６０及び結合フィラメント８０で構成される。アウトラインベルト４０は、かつら５の外周縁の全部を構成する。アウトラインフィラメント５０の全ての一端部は、円形又は半円形の結合フィラメント８０に結合される。アウトラインフィラメント５０の全ての他端部は、アウトラインベルト４０に固定される。アウトラインフィラメント５０の第２湾曲５０ｂ（図３を参照）は、結合フィラメント８０を起点とした毛髪の毛流を形成する。本実施形態のかつら５によれば、頭部の毛量を全体的に増すことが可能である。
【００６７】
＜作用効果＞
上述した第１〜第５実施形態のかつら１〜５は、いずれも繊細で軽く柔軟性に富み、装着感を殆ど感じさせず、薄毛対策として誰でも手軽に利用することができる。
【００６８】
すなわち、第１〜第５実施形態のかつら１〜５の外郭は、複数のアウトラインフィラメント５０と、アウトラインベルト４０とによって構成される。このうち、アウトラインフィラメント５０は、直径１ｍｍ未満の熱可塑性樹脂製の細線であり、繊細で軽く、重量、接触面積及び硬さといった物理的存在を頭部に感じさせない。また、アウトラインフィラメント５０は、頭部の形状及び自毛の毛流に対応する立体的な湾曲５０ａ、５０ｂを呈しており、頭部の形状及び自毛の毛流に馴染みやすい。さらに、アウトラインフィラメント５０は、外力を受けて容易に変形する柔軟性を備え、頭皮や自毛に接触圧を生じさせないだけでなく、自らが頭部の形状や自毛の毛流に沿って変形する。以上のようなアウトラインフィラメント５０の作用によって、装着感を殆ど感じさせない、施術としての増毛により近いかつらが実現する。
【符号の説明】
【００６９】
１、２、３、４、５  かつら
１０、１１０、２１０  旋毛ベース
１１  折返し部分
２０、１２０  生え際ベース
２１  折返し部分
２２  波形ネット
２３  グラデーションプリント
３０  分け目ベース
４０  アウトラインベルト
５０  アウトラインフィラメント
５０ａ  第１湾曲
５０ｂ  第２湾曲
５１、５２  細線部分
６０  補強フィラメント
６１  結合部
７０Ａ、７０Ｂ  拡張ベース
８０  結合フィラメント
【図１】
2019044295.tif 000004
【図２】
2019044295.tif 000005
【図３】
2019044295.tif 000006
【図４】
2019044295.tif 000007
【図５】
2019044295.tif 000008
【図６】
2019044295.tif 000009
【図７】
2019044295.tif 000010
【図８】
2019044295.tif 000011
【図９】
2019044295.tif 000012